(57)【要約】【課題】ロックレバーを目視せずに、門扉の内側からも外側からも、さらに門扉から多少離れた位置からでも一目で門扉がロックされているかどうかがわかる門扉用のロック装置を提案する。【解決手段】本発明の門扉用のロック装置（例えば、後述のロック装置３）は、戸先側の支持体（例えば、後述の戸先側の支柱４）に、門扉本体（例えば、後述の門扉本体２）の上端部の高さに回動自在に固定され、門扉本体の上端部の戸先側を上から係合させるための凹部（例えば、後述の凹部３２）と、ロック装置の両側面にあり水平に突出した２つのつまみ兼規制部材（例えば、後述のつまみ兼用規制部材３３）と、を有することを特徴とする。【選択図】図１
2018012971.tif 000002
【特許請求の範囲】
【請求項１】
門扉用のロック装置であって、戸先側の支持体に、門扉本体の上端部の高さに回動自在に固定され、
門扉本体の上端部の戸先側を上から係合させるための凹部と、
ロック装置の両側面にあり水平に突出した２つのつまみ兼規制部材と、
を有することを特徴とする門扉用ロック装置。
【発明の詳細な説明】
【技術分野】
【０００１】
この発明は門扉本体を、閉扉状態にロックするための門扉用のロック装置であって、ロック忘れが一目でわかることにより、ロック忘れを防止するのに好適な門扉用のロック装置に関するものである。
【背景技術】
【０００２】
門扉は人が出入りするための門扉本体と、門扉本体を開閉自在に支持する吊り元側の支柱等の支持体と、門扉本体を閉扉状態に保つ戸先側の支柱や子扉等の支持体から構成されている。
【０００３】
一般的な門扉のロック装置は、門扉本体に回動自在に接続されたロックレバーが戸先側の支持体の受け部材に係合することにより閉扉状態を保つ。しかし、ロックがされていなくても、門扉本体は閉扉状態の位置にくることができ、ロックレバーを目視するか扉本体を動かしてみないと、ロックされているのか確認できない。このため、ロックを忘れた門扉を開けて、幼児が園庭から道路に飛び出すおそれがあった。さらに、ロックレバーが低い位置にあるために、幼児が自らロックを解除して道路に飛び出するおそれもあった。
【発明の概要】
【発明が解決しようとする課題】
【０００４】
この発明は、ロックレバーを目視せずに、門扉の内側からも外側からも、さらに門扉から多少離れた位置からでも一目で門扉がロックされているかどうかがわかる門扉用のロック装置を提案することを課題とする。
【課題を解決するための手段】
【０００５】
本発明の門扉用のロック装置（例えば、後述のロック装置３）は、戸先側の支持体（例えば、後述の戸先側の支柱４）に、門扉本体（例えば、後述の門扉本体２）の上端部の高さに回動自在に固定され、門扉本体の上端部の戸先側を上から係合させるための凹部（例えば、後述の凹部３２）と、ロック装置の両側面にあり水平に突出した２つのつまみ兼規制部材（例えば、後述のつまみ兼用規制部材３３）と、を有することを特徴とする。
【発明の効果】
【０００６】
この発明によれば、門扉がロックされていない場合にロック装置の規制部材により、門扉本体は閉扉状態の位置近くで留まることができない構造となっている。門扉本体の位置が閉扉状態であれば、門扉の内側からも外側からも、門扉から多少離れた位置からも一目で扉がロックされていることがわかるし、ロックされていなければ、門扉本体が開いた位置にあることで、ロックされていないとわかるので気づきやすい。
【図面の簡単な説明】
【０００７】
【図１】本発明を戸先側の支持体が支柱である門扉に実施した立面図である。
【図２】図１に示す実施形態で閉扉（ロック）状態を示す斜視図である。
【図３】図１に示す実施形態で開扉するためにロックを解除した状態を示す斜視図である。
【図４】図１に示す実施形態でロックされていない状態を示す斜視図である。
【発明を実施するための形態】
【０００８】
本発明の門扉用のロック装置３は、図１に示すように戸先側の支持体となる支柱４に回転軸３１を中心として回動自在に固定され、門扉本体２の上端部の戸先側を上から係合させて、閉扉状態にロックするための門扉用のロック装置である。閉扉時には、図２に示すように、ロック装置の凹部を門扉本体の上端部の戸先側に上から係合させて、門扉本体が動かないように固定する。門扉を開くには、図３に示すように、ロック装置のつまみ兼規制部材を手で上に持ち上げれば、門扉を開くことができる。開扉時には、図４に示すように、ロック装置が戸先側の支柱や子扉等の支持体にあって、門扉本体の支持がないと重力により落下し、門扉本体上端より下の位置にくるので、門扉本体を閉扉状態の位置近くで留まらせないための規制部材となる。
【０００９】
本実施形態では、ロック装置３が支柱４を挟むようにして、支柱４を貫通した回転軸３１によって、支柱４の門扉本体２の上端部の高さに回動自在に固定された構造となっている。この高さは、一般的な門扉からすると１．４〜１．６ｍとなり、幼児の身長以上の高さとなって幼児の手が届きにくく、かつ大人の身長以下であるので、大人にとっては操作や目視確認が容易である。
【００１０】
閉扉時には、図２に示すように、門扉本体２の厚さ以上の幅を有し所定の深さを有するロック装置３の凹部３２を、門扉本体２の上端部の戸先側に上から挟み込むように係合させて、門扉本体２が動かないように固定する。
【００１１】
門扉を開くには、図３に示すように、ロック装置３の両側面にあり水平に突出した２つのつまみ兼規制部材３３のいずれかを手で上に持ち上げればよい。ロック装置３を門扉本体２の上端部以上に上げると、ロックが解除された状態になるので、門扉を開くことができる。このつまみ兼用規制部材３３は、ロック装置３のどこについていてもよいが、門扉の両側からつまんで上げ下げすることができ、ロック装置３がロックされずに落下した場合に、門扉本体２を閉扉状態の位置近くで留まらせないために水平方向に突出した規制部材を兼ねている。
【００１２】
また門扉を開く際に、図３に示すように、ロック装置３をつまみ兼規制部材３３を手で上に持ち上げて固定してしまわないように、戸先側の支持体となる支柱４が短い場合には、ロック装置３が上がりすぎないような、規制ピン３４を設けた。これにより、ロック装置３が上がりっぱなしになるのを避け、ロック装置３がロックされない場合には落下する。
【００１３】
開扉時には、図４に示すように、ロック装置３が戸先側の支柱４にあって、門扉本体２の支持がないと重力により落下し、門扉本体上端より下の位置にくるので、このロック装置３門扉本体２を閉扉状態の位置近くで留まらせないための規制部材となる。このつまみ兼用規制部材３３が水平方向へ突出しているので、門扉がロックされない場合には、門扉本体２が戸先側の支柱４より離れて、開いた位置にあることで、ロックされていないことがわかり易くなる。つまみ兼用規制部材３３の水平方向への突出長さは、水平方向への突出長さが大きいほど、ロックされずに門扉本体２がより開いた位置にあることで、ロックされていないことがわかり易くなるが、操作性や安全性を考えて門扉本体２の厚さの半分から２倍程度が望ましい。
【００１４】
なお、図示の門扉本体２は、回動式を示しているが、スライド方式であっても、ロック装置３が降りた状態で閉めようとすると、ロック装置３に当接して閉鎖できないので、同様の効果がある。
【符号の説明】
【００１５】
１……吊り元側の支持体（支柱）
２……門扉本体
３……ロック装置
３１……回転軸
３２……凹部
３３……つまみ兼用規制部材
３４……規制ピン
４……戸先側の支持体（支柱）
【図１】
2018012971.tif 000003
【図２】
2018012971.tif 000004
【図３】
2018012971.tif 000005
【図４】
2018012971.tif 000006